(57)【要約】【課題】バイアルとの間に別体の部材を介在させなくても複数の寸法のバイアルに適合させることができ、しかも、複数の寸法のバイアルに簡単に装着することができるバイアルアダプタを提供する。【解決手段】本発明のバイアルアダプタは、医療器具と接続する接続部と、第１のバイアルの頭部に嵌合可能な第１の嵌合周壁とを有するアダプタ本体と、前記第１のバイアルの頭部よりも小さい径寸法を有する第２のバイアルの頭部に嵌合可能な第２の嵌合周壁とを備え、前記第２の嵌合周壁は、前記第１の嵌合周壁の径方向内側で、前記アダプタ本体に、前記第１の嵌合周壁の軸線方向に沿ってスライド可能に装着される。【選択図】図１
2015065985.tif 000002
【特許請求の範囲】
【請求項１】
医療器具と接続する接続部と、第１のバイアルの頭部に嵌合可能な第１の嵌合周壁とを有するアダプタ本体と、
前記第１のバイアルの頭部よりも小さい径寸法を有する第２のバイアルの頭部に嵌合可能な第２の嵌合周壁とを備え、
前記第２の嵌合周壁は、前記第１の嵌合周壁の径方向内側で、前記アダプタ本体に、前記第１の嵌合周壁の軸線方向に沿ってスライド可能に装着されることを特徴とするバイアルアダプタ。
【請求項２】
前記アダプタ本体は、前記接続部に連設された柱状体と、該柱状体の下端を前記第１の嵌合周壁の上端に連結するフランジとをさらに有し、
前記第２の嵌合周壁は、周方向に互いに間隔を空けて配置された複数の周壁と、該複数の周壁の下端にそれぞれ設けられた爪部とを有し、
前記複数の周壁はそれぞれ、前記フランジに形成された開口を通じて、前記第１の嵌合周壁の軸線方向に沿ってスライド可能である、請求項１に記載のバイアルアダプタ。
【請求項３】
前記柱状体は円柱状をなし、
前記第２の嵌合周壁は、前記柱状体の外周面上をスライドする環状壁をさらに有し、該環状壁の下端には、該第２の嵌合周壁の複数の周壁の上端が連設されている、請求項２に記載のバイアルアダプタ。
【請求項４】
前記第２の嵌合周壁は、前記環状壁と前記複数の周壁の上端との接続領域にそれぞれ、該第２の嵌合周壁を周方向に回動させることで前記フランジが挿入される切り欠きを有する、請求項３に記載のバイアルアダプタ。
【請求項５】
前記第２の嵌合周壁の環状壁は、該環状壁の径方向外側に突出する操作片を有する、請求項４に記載のバイアルアダプタ。
【請求項６】
前記第２の嵌合周壁と前記柱状体との間に、該第２の嵌合周壁と該柱状体とを互いに嵌合させるアンダーカットをさらに備える、請求項２〜５のいずれか一項に記載のバイアルアダプタ。
【発明の詳細な説明】
【技術分野】
【０００１】
本発明は、バイアルに装着されるバイアルアダプタに関し、特に、バイアルとの間に別体の部材を介在させなくても複数の寸法のバイアルに適合させられるようにすると同時に、バイアルへの装着作業を容易化させようとするものである。
【背景技術】
【０００２】
一般に、バイアルから薬液を採取する際は、剥き出しの金属注射針をバイアルの頭部に設けられたゴム栓（栓体）に直接穿刺して吸引している。しかしながら、剥き出しの金属注射針を栓体に直接穿刺する場合には、注射針による針刺し事故などが生じることがある。そこで、剥き出しの注射針を用いることなく、バイアルの内部空間へのアクセスを可能にするものとして、従来、例えば特許文献１に記載されるようなバイアルアダプタが知られている。
【０００３】
特許文献１に記載されるバイアルアダプタは、バイアルを起立させ、上方から当該バイアルの頭部にバイアルアダプタを押し付けると、当該バイアルアダプタのアダプタ本体に周設された嵌合周壁がバイアルの頭部に嵌合するとともに、嵌合周壁に囲まれアダプタ本体から下方に突設された中空の針状体がバイアル頭部の栓体を貫通する。このようにバイアルアダプタがバイアルに装着された状態で、シリンジなどの医療器具を、アダプタ本体に設けられた接続部に接続すると、医療器具内がバイアルの内部空間と連通し、バイアルの内部空間から薬液を医療器具内に採取することが可能となる。
【先行技術文献】
【特許文献】
【０００４】
【特許文献１】特許第４７４０１４６号公報
【発明の概要】
【発明が解決しようとする課題】
【０００５】
ところで、前述したようなバイアルアダプタは、特定の寸法のバイアルに適合したものが用いられるが、バイアルには様々な寸法のものが存在する。そこで、特許文献１に記載のバイアルアダプタでは、当該バイアルアダプタの嵌合周壁に適合するバイアルよりも小さい他のバイアルに装着する場合には、バイアルアダプタとは別体のキャップ状部材を用いるようにしている。そして、当該キャップ状部材に形成された他の嵌合周壁を、当該他のバイアルの頭部に嵌合させ、このキャップ状部材に、バイアルアダプタの嵌合周壁を嵌合させることで、バイアルアダプタを他のバイアルに装着可能としている。
【０００６】
しかしながら、このように、複数の寸法のバイアルに適合させる従来のバイアルアダプタでは、小さいバイアルに装着する場合に、バイアルアダプタとは別に、キャップ状部材をバイアルに嵌合させる必要があり、バイアルに装着させる作業が手間であった。また、キャップ状部材が別体であることから紛失のおそれがあった。
【０００７】
本発明は、このような従来の問題を解決するため開発されたもので、バイアルとの間に別体の部材を介在させなくても複数の寸法のバイアルに適合させることができ、しかも、複数の寸法のバイアルに簡単に装着することができるバイアルアダプタを提供することを目的とする。
【課題を解決するための手段】
【０００８】
本発明のバイアルアダプタは、医療器具と接続する接続部と、第１のバイアルの頭部に嵌合可能な第１の嵌合周壁とを有するアダプタ本体と、前記第１のバイアルの頭部よりも小さい径寸法を有する第２のバイアルの頭部に嵌合可能な第２の嵌合周壁とを備え、前記第２の嵌合周壁は、前記第１の嵌合周壁の径方向内側で、前記アダプタ本体に、前記第１の嵌合周壁の軸線方向に沿ってスライド可能に装着されることを特徴とする。
【０００９】
ここで、本発明のバイアルアダプタは、前記アダプタ本体は、前記接続部に連設された柱状体と、該柱状体の下端を前記第１の嵌合周壁の上端に連結するフランジとをさらに有し、前記第２の嵌合周壁は、周方向に互いに間隔を空けて配置された複数の周壁と、該複数の周壁の下端にそれぞれ設けられた爪部とを有し、前記複数の周壁はそれぞれ、前記フランジに形成された開口を通じて、前記第１の嵌合周壁の軸線方向に沿ってスライド可能であることが好ましい。
【００１０】
なお、本明細書及び特許請求の範囲において「上下」方向とは、バイアルを起立させた状態で当該バイアルにバイアルアダプタを装着した状態を基準とし、当該状態での上下方向を意味するものとする。
【００１１】
また、本発明のバイアルアダプタは、前記柱状体は円柱状をなし、前記第２の嵌合周壁は、前記柱状体の外周面上をスライドする環状壁をさらに有し、該環状壁の下端には、該第２の嵌合周壁の複数の周壁の上端が連設されていることが好ましい。
【００１２】
また、本発明のバイアルアダプタは、前記第２の嵌合周壁は、前記環状壁と前記複数の周壁の上端との接続領域にそれぞれ、該第２の嵌合周壁を周方向に回動させることで前記フランジが挿入される切り欠きを有することが好ましい。
【００１３】
また、本発明のバイアルアダプタは、前記第２の嵌合周壁の環状壁は、該環状壁の径方向外側に突出する操作片を有することが好ましい。
【００１４】
さらに、本発明のバイアルアダプタは、前記第２の嵌合周壁と前記柱状体との間に、該第２の嵌合周壁と該柱状体とを互いに嵌合させるアンダーカットをさらに備えることが好ましい。
【発明の効果】
【００１５】
本発明によれば、第２の嵌合周壁を第１の嵌合周壁の軸線方向に沿って上方にスライドさせることで、第１の嵌合周壁を第１のバイアルの頭部に嵌合させることができ、このようにバイアルアダプタを第１のバイアルに装着した状態で、アダプタ本体の接続部に医療器具を接続すれば、医療器具内を第１のバイアルの内部空間と連通させることができる。また、本発明によれば、第２の嵌合周壁を第１の嵌合周壁の軸線方向に沿って下方にスライドさせることで、第２の嵌合周壁を、第１のバイアルの頭部よりも小さい径寸法を有する第２のバイアルの頭部に嵌合させることができ、このようにバイアルアダプタを第２のバイアルに装着した状態で、アダプタ本体の接続部に医療器具を接続すれば、医療器具内を第２のバイアルの内部空間と連通させることができる。
【００１６】
したがって、本発明によれば、バイアルとの間に別体の部材を介在させなくても複数の寸法のバイアルに適合させることができ、しかも、複数の寸法のバイアルに簡単に装着することができるバイアルアダプタを提供することができる。
【図面の簡単な説明】
【００１７】
【図１】本発明の一実施形態に係るバイアルアダプタを、スライド部材を上方にスライドさせた状態で示す斜視図である。
【図２】図１のバイアルアダプタの縦断面図である。
【図３】図１のバイアルアダプタのアダプタ本体の斜視図である。
【図４】図１のバイアルアダプタのスライド部材の斜視図である。
【図５】図１のバイアルアダプタを第１のバイアルに装着した状態を示す縦断面図である。
【図６】図１のバイアルアダプタを、スライド部材を下方にスライドさせた状態で示す斜視図である。
【図７】図１のバイアルアダプタを、図６に示した状態からさらに周方向に回動させた状態で示す斜視図である。
【図８】図１のバイアルアダプタを第２のバイアルに装着した状態を示す縦断面図である。
【発明を実施するための形態】
【００１８】
以下、図面を参照して、本発明の一実施形態に係るバイアルアダプタについて詳細に例示説明する。
図１〜図２に示すように、本実施形態に係るバイアルアダプタ１は、アダプタ本体２０と、アダプタ本体２０に対して上下方向にスライド可能なスライド部材（第２の嵌合周壁）３０とからなる。
【００１９】
アダプタ本体２０は、図３に示すように、接続部２１と、第１の嵌合周壁２２とを有する。また、アダプタ本体２０は、接続部２１に連設された柱状体２３と、当該柱状体２３の下端を第１の嵌合周壁２２の上端２２ａに連結するフランジ２４とを有する。さらに、アダプタ本体２０は、図２に示したように、柱状体２３の底面２３ａに連設された針状体２５を有する。
【００２０】
接続部２１は、シリンジなどの医療器具に設けられたルアーコネクタなど（図示省略）を接続するためのもので、後掲図５に示すようにバイアルアダプタ１を第１のバイアル４０に装着した場合には、当該医療器具を接続部２１に接続することで、医療器具内を第１のバイアル４０の内部空間Ｍ１に、バイアルアダプタ１を介して連通させることができる。また、後掲図８に示すようにバイアルアダプタ１を第２のバイアル５０に装着した場合には、当該医療器具を接続部２１に接続することで、医療器具内を第２のバイアル５０の内部空間Ｍ２に、バイアルアダプタ１を介して連通させることができる。なお、本例では、第１のバイアル４０として頭部直径が２０ｍｍのものを用い、第２のバイアル５０として頭部直径が１３ｍｍのものを用いる。
【００２１】
接続部２１は、図２及び図３に示したように、キャップ６０、ハウジング７０及び弾性弁体８０からなる。キャップ６０は、第１の嵌合周壁２２の軸線Ｏの回りに周設され、外周面の上端に医療器具（図示省略）との接続用の二条ねじ６１が形成された上側筒状壁６２を有する。上側筒状壁６２の下端には、当該上側筒状壁６２よりも拡径された下側筒状壁６３が連設されている。
【００２２】
下側筒状壁６３は、上側筒状壁６２の内周面６２ａの下端に繋がり、当該内周面６２ａから拡径した第１の内周面６３ａと、当該内周面６３ａの下端に繋がり、当該内周面６３ａから拡径した第２の内周面６３ｂとを有する。
【００２３】
キャップ６０の下側筒状壁６３には、ハウジング７０の筒状体７１の上端が嵌め込まれ、当該筒状体７１の上端と下側筒状壁６３とは互いに、例えば接着剤などで接合されている。筒状体７１の内周面７１ａは、キャップ６０の第１の内周面６３ａと略同一の内径になっている。筒状体７１の下端は、円板状の底壁７２の上面に連設されている。底壁７２の上面には、筒状体７１の内周側の領域に、軸線Ｏを中心とする環状凹部７２ａが周設されている。環状凹部７２ａの内周側には、軸線Ｏを中心とする断面円形の、底壁７２を貫通するハウジング貫通孔７３が形成されている。
【００２４】
ハウジング７０の環状凹部７２ａには、弾性弁体８０の蛇腹状壁８１の下端部８１ａが嵌め込まれている。本例では、蛇腹状壁８１の下端部８１ａと環状凹部７２ａとの間は、例えば接着剤などで接合されている。蛇腹状壁８１の上端には、筒状壁８２が連設され、筒状壁８２の上端は、スリット８３が形成された天壁８４で閉鎖されている。筒状壁８２の外周面８２ａは、前述したキャップ６０の上側筒状壁６２の内周面６２ａに当接し、天壁８４の上面は、キャップ６０の上側筒状壁６２の上端面と面一になっている。
【００２５】
ハウジング７０の底壁７２は、底壁７２の外周面及び底面と相補形状を有する、柱状体２３の上面に形成された円形凹部２３ｂ内に嵌め込まれている。底壁７２と円形凹部２３ｂとの間は、例えば、接着剤又は熱溶着などによって接合されている。あるいは、ハウジング７０と柱状体２３とは、例えば、合成樹脂の射出成形などによって一体的に形成することもできる。
【００２６】
柱状体２３は、軸線Ｏを中心とする円柱状をなしている。柱状体２３の外周面２３ｃの上部領域には、環状の上側嵌合溝２３ｄ（アンダーカット）が周設されている。また、柱状体２３の外周面２３ｃの下部領域には、前記した上側嵌合溝２３ｄと同一形状の下側嵌合溝２３ｅ（アンダーカット）が周設されている。下側嵌合溝２３ｅの下方には、柱状体２３の外周面２３ｃを縮径させた複数、本例では２つの段差部２３ｆが、軸線Ｏの周りに対称な位置に形成され、これら段差部２３ｆの下端と柱状体２３の底面２３ａとの接続領域にはそれぞれ、外周側に突出する突起２３ｇが周設されている。
【００２７】
柱状体２３の底面２３ａに連設された、前述した針状体２５は、軸線Ｏを中心とする円柱体２５ａと、該円柱体２５ａの下端に繋がる下向きの円錐体２５ｂからなっている。円柱体２５ａの上側部分の内部には、軸線Ｏを中心とし、軸線Ｏに沿って延びる断面円形の中央延設路２６の下部が位置している。中央延設路２６は柱状体２３を貫通しており、中央延設路２６の上端は、前述したハウジング貫通孔７３の下端に連通している。中央延設路２６の下端には、円柱体２５ａの外周面に開口する連通孔２５ｃが連設されている。
【００２８】
柱状体２３の下端を第１の嵌合周壁２２の上端２２ａに連結するフランジ２４は、柱状体２３の下端から第１の嵌合周壁２２の上端２２ａまで外周側に延在している。フランジ２４には、軸線Ｏの周りに対称な位置に、複数、本例では２つの開口２４ａが形成されている。これら開口２４ａの内周側は、前述した段差部２３ｆに繋がっている。また、これら開口２４ａの外周側の縁部２４ｂは、円弧状になっている。
【００２９】
フランジ２４の外周側領域には、本例では、軸線Ｏの周りに等間隔に配置された８本の縦スリット２７の上端部が位置している。これら縦スリット２７はそれぞれ、上下方向に延び、第１の嵌合周壁２２を軸線Ｏの周りに等間隔に分割している。このように分割された第１の嵌合周壁２２はそれぞれ、フランジ２４の外周縁に繋がる外周壁部２２ｂと、これら外周壁部２２ｂの下端に繋がり下方に向って拡径する拡径壁部２２ｃとを有する。また、各外周壁部２２ａの下端には、内周側に向けて突出し、後掲図５に示す第１のバイアル４０の頭部４１に嵌合可能な嵌合爪部２２ｄが形成されている。
【００３０】
図４及び前掲図２に示すように、スライド部材３０は、第１の嵌合周壁２２の径方向内側で、アダプタ本体２０に、第１の嵌合周壁２２の軸線Ｏ方向に沿ってスライド可能に装着されている。スライド部材３０は、環状壁３１を有し、環状壁３１の外周面３１ａの上端には、軸線Ｏの周りに対称に複数、本例では２つの操作片３２が、環状壁３１の径方向外側に突設されている。これら操作片３２はそれぞれ、平面視半円形状をなし、上面にはスライド部材３０の回動方向を示す矢印形状の標識３２ａが設けられている。
【００３１】
環状壁３１の下端には、前述したフランジ２４の開口２４ａを通じて、第１の嵌合周壁２２の軸線Ｏ方向に沿ってスライド可能であり、且つ、周方向に互いに間隔を空けて配置された複数、本例では２つの周壁３３の上端が連設されている。これら周壁３３の下端にはそれぞれ、後掲図５に示す第１のバイアル４０の頭部４１よりも小さい径寸法を有する、後掲図８に示す第２のバイアル５０の頭部５１に嵌合可能な爪部３４が、内周側に向けて突設されている。
【００３２】
環状壁３１と複数の周壁３３の上端との接続領域にはそれぞれ、スライド部材３０を周方向、すなわち、本例では標識３２ａの矢印形状が示す方向に回動させることでフランジ２４が挿入される切り欠き３５が形成されている。また、環状壁３１の内周面の上端縁には、前述した柱状体２３の上側嵌合溝２３ｄ（アンダーカット）及び下側嵌合溝２３ｅ（アンダーカット）の双方に選択的に嵌合可能な嵌合突起３６（アンダーカット）が周設されている。
【００３３】
なお、前述したバイアルアダプタ１を構成する各部材の素材としては、特に限定されるものではないが、キャップ６０、ハウジング７０、柱状体２３、フランジ２４、針状体２５、第１の嵌合周壁２２及びスライド部材３０については、合成樹脂材料を用いることが好ましい。また、弾性弁体８０については、ゴム材料や熱可塑性エラストマなどを用いることが好ましい。
【００３４】
かかる構成によれば、図２に示したように、スライド部材３０を軸線Ｏに沿って上方にスライドさせ、嵌合突起３６を、柱状体２３の上側嵌合溝２３ｄに嵌合させると、複数の周壁３３の下端を柱状体２３の底面２３ａよりも上方に位置させることができる。したがって、図５に示すように、バイアルアダプタ１の第１の嵌合周壁２２に形成された嵌合爪部２２ｄを、第１のバイアル４０の頭部４１に嵌合させるとともに、柱状体２３の底面２３ａに突設された針状体２５を、第１のバイアル４０の頭部４１に設けられた栓体４２に押し付け、貫通させることにより、バイアルアダプタ１を第１のバイアル４０に装着することができる。
【００３５】
この状態で、シリンジなどの医療器具に設けられたルアーコネクタなど（図示省略）を接続部２１に接続すると、医療器具によって弾性弁体８０の天壁８４が下方に押圧され、蛇腹状壁８１の上下方向の圧縮変形により、弾性弁体８０の筒状壁８２が下方に移動する。その際、キャップ６０の上側筒状壁６２の内周面６２ａに当接していた弾性弁体８０の筒状壁８２は、当該内周面６２ａよりも拡径された下側筒状壁６３の第１の内周面６３ａ内へと移動するため、当該筒状壁８２が拡径変形し、弾性弁体８０の天壁８４に設けられたスリット８３が開口する。その結果、医療器具内が、バイアルアダプタ１内の、弾性弁体８０の内部空間、ハウジング貫通孔７３、中央延設路２６及び連通孔２５ｃで構成される流路を介して、第１のバイアル４０の内部空間Ｍ１と連通する。
【００３６】
したがって、スライド部材３０を第１の嵌合周壁２２の軸線Ｏ方向に沿って上方にスライドさせることで、第１の嵌合周壁２２を第１のバイアル４０の頭部４１に嵌合させることができ、このように、バイアルアダプタ１を第１のバイアル４０に装着した状態で、当該医療器具を接続部２１に接続すれば、医療器具内を第１のバイアル４０の内部空間Ｍ１に連通させることができる。
【００３７】
また、第１のバイアル４０の頭部４１よりも小さい径寸法を有する、後掲図８に示す第２のバイアル５０にバイアルアダプタ１を装着する場合には、まず、図６に示すように、スライド部材３０を、スライド部材３０の嵌合突起３６（後掲図８参照）が柱状体２３の下側嵌合溝２３ｅに嵌合するまで下方に押下げる。この押下げ操作によって、スライド部材３０の複数の周壁３３を柱状体２３の底面２３ａよりも下方に位置させることができる。そして、図７に示すように、スライド部材３０をアダプタ本体２０に対して周方向に回動させ、スライド部材３０の切り欠き３５にフランジ２４を挿入させる。この回動操作によって、前述した複数の周壁３３を柱状体２３の底面２３ａよりも下方に位置させた状態を、確実に保持することが可能となる。
【００３８】
そして、バイアルアダプタ１を図７に示した状態とすることで、図８に示すように、バイアルアダプタ１を、第２のバイアル５０に装着することができる。すなわち、第１のバイアル４０に装着する場合と同様に、バイアルアダプタ１のスライド部材３０の複数の周壁３３に形成された爪部３４を、第２のバイアル５０の頭部５１に嵌合させるとともに、柱状体２３の底面２３ａに突設された針状体２５を、第２のバイアル５０の頭部５１に設けられた栓体５２に押し付け、貫通させることにより、バイアルアダプタ１を第２のバイアル５０に装着することができる。そして、第１のバイアル４０への装着時と同様に、医療器具（図示省略）を接続部２１に接続すると、医療器具内を第２のバイアル５０の内部空間Ｍ２に連通させることができる。
【００３９】
このように、スライド部材３０を第１の嵌合周壁２２の軸線Ｏ方向に沿って下方にスライドさせることで、スライド部材３０を、第１のバイアル４０の頭部４１よりも小さい径寸法を有する第２のバイアル５０の頭部５１に嵌合させることができ、この状態で、アダプタ本体２０の接続部２１に医療器具を接続すれば、医療器具内を第２のバイアル５０の内部空間Ｍ２と連通させることができる。
【００４０】
したがって、本実施形態によれば、バイアルアダプタ１を、従来技術として説明したキャップ状部材のような別体の部材を第２のバイアル５０との間に介在させなくても、複数の寸法のバイアル４０，５０に適合させることができ、しかも、複数の寸法のバイアル４０，５０に簡単に装着することができる。
【００４１】
また、図６及び図７を用いて前述したスライド部材３０の押下げ及び回動操作に際しては、スライド部材３０の操作片３２を用いることで操作が容易となり、また、操作片３２には、回動方向を示す標識３２ａが付されているため、回動方向を誤ることもなく使い勝手を向上することができる。
【００４２】
また、スライド部材３０の複数の周壁３３をいずれも環状壁３１に連設したことにより、複数の周壁３３のいずれもをワンタッチでスライド移動させることができ、操作性をより向上することができる。
【００４３】
さらに、スライド部材３０と柱状体２３との間に、スライド部材３０と柱状体２３とを互いに嵌合させるアンダーカット、本例では上側嵌合溝２３ｄ、下側嵌合溝２３ｅ（図８参照）及び嵌合突起３６を設けたことにより、スライド部材３０をスライド操作するに際し、そのスライド範囲の上端と下端を、当該アンダーカットの嵌合時に付与される節度感により認識することができるため、操作性をさらに向上することができる。
【００４４】
上述したところは、本発明の一実施形態を示したにすぎず、特許請求の範囲において、種々の変更を加えることができる。例えば、本実施形態に係るバイアルアダプタ１は第１のバイアル４０と第２のバイアル５０の２つの寸法のバイアルに装着可能なものとして説明したが、必ずしもこのような構成に限られず、例えば、従来技術として説明した、バイアルアダプタとは別体のキャップ状部材を用いることにより、３つ以上の寸法のバイアルに装着するようにしてもよい。また、接続部２１の構成も、本実施形態で示した構成に限られず、例えば、弾性弁体８０をスリットを有するディスク状の弁体として構成し、キャップ６０に当該弁体の支持構造を設けることもできる。
【符号の説明】
【００４５】
１  バイアルアダプタ
２０  アダプタ本体
２１  接続部
２２  第１の嵌合周壁
２２ａ  第１の嵌合周壁の上端
２２ｂ  外周壁部
２２ｃ  拡径壁部
２２ｄ  嵌合爪部
２３  柱状体
２３ａ  柱状体の底面
２３ｂ  円形凹部
２３ｃ  柱状体の外周面
２３ｄ  上側嵌合溝（アンダーカット）
２３ｅ  下側嵌合溝（アンダーカット）
２３ｆ  段差部
２３ｇ  突起
２４  フランジ
２４ａ  フランジの開口
２４ｂ  フランジの開口の外周側の縁部
２５  針状体
２５ａ  円柱体
２５ｂ  円錐体
２５ｃ  連通孔
２６  中央延設路
２７  縦スリット
３０  スライド部材（第２の嵌合周壁）
３１  環状壁
３１ａ  環状壁の外周面
３２  操作片
３２ａ  標識
３３  周壁
３４  爪部
３５  切り欠き
３６  嵌合突起（アンダーカット）
４０  第１のバイアル
４１  第１のバイアルの頭部
４２  栓体
５０  第２のバイアル
５１  第２のバイアルの頭部
５２  栓体
６０  キャップ
６１  二条ねじ
６２  上側筒状壁
６２ａ  上側筒状壁の内周面
６３  下側筒状壁
６３ａ  下側筒状壁の第１の内周面
６３ｂ  下側筒状壁の第２の内周面
７０  ハウジング
７１  筒状体
７１ａ  筒状体の内周面
７２  底壁
７２ａ  環状凹部
７３  ハウジング貫通孔
８０  弾性弁体
８１  蛇腹状壁
８１ａ  蛇腹状壁の下端部
８２  筒状壁
８２ａ  筒状壁の外周面
８３  スリット
８４  天壁
Ｍ１  第１のバイアルの内部空間
Ｍ２  第２のバイアルの内部空間
Ｏ  第１の嵌合周壁の軸線
【図１】
2015065985.tif 000003
【図２】
2015065985.tif 000004
【図３】
2015065985.tif 000005
【図４】
2015065985.tif 000006
【図５】
2015065985.tif 000007
【図６】
2015065985.tif 000008
【図７】
2015065985.tif 000009
【図８】
2015065985.tif 000010